(57)【要約】【課題】洗浄力の低下を抑制した食器洗い機を提供すること。【解決手段】食器洗い機は、外郭となる筐体と、筐体の内部に収容される洗浄槽と、噴射口を有し、噴射口から洗浄槽内に向けて水を噴射する洗浄ノズルと、洗浄ノズルを回転可能に支持し、洗浄ノズルに水を供給する軸部と、を備え、軸部は、洗浄槽の底面に設けられており、洗浄ノズルに供給する水が通過する開口部が側面に設けられているものである。【選択図】図８
2018027236.tif 000002
【特許請求の範囲】
【請求項１】
外郭となる筐体と、
前記筐体の内部に収容される洗浄槽と、
噴射口を有し、該噴射口から前記洗浄槽内に向けて水を噴射する洗浄ノズルと、
前記洗浄ノズルを回転可能に支持し、前記洗浄ノズルに水を供給する軸部と、を備え、
前記軸部は、
前記洗浄槽の底面に設けられており、
前記洗浄ノズルに供給する水が通過する開口部が側面に設けられている
ことを特徴とする食器洗い機。
【請求項２】
前記軸部は、
側面に複数の柱部を有し、隣接する前記柱部間に前記開口部がそれぞれ設けられている
ことを特徴とする請求項１に記載の食器洗い機。
【請求項３】
前記軸部は、
４つの前記柱部を有し、隣接する前記柱部は互いに一定間隔となるように配置されている
ことを特徴とする請求項２に記載の食器洗い機。
【請求項４】
前記開口部は、
前記軸部の中心側から外側に向かって広がった形状を有している
ことを特徴とする請求項１〜３のいずれか一項に記載の食器洗い機。
【請求項５】
前記軸部は、
上面に上方に向かって突出した突起部が設けられている
ことを特徴とする請求項１〜４のいずれか一項に記載の食器洗い機。
【請求項６】
前記軸部は、
前記突起部を２つ有し、前記突起部は対称となる位置に設けられている
ことを特徴とする請求項５に記載の食器洗い機。
【請求項７】
前記突起部は、平面視して半円形状を有している
ことを特徴とする請求項５または６に記載の食器洗い機。
【請求項８】
前記洗浄ノズルは、
下部に前記軸部が挿入される取付穴部が設けられており、
前記取付穴部の周りには、該取付穴部と前記軸部との隙間を埋める立壁部が設けられている
ことを特徴とする請求項１〜６のいずれか一項に記載の食器洗い機。
【発明の詳細な説明】
【技術分野】
【０００１】
本発明は、食器類の洗浄を行う食器洗い機に関するものである。
【背景技術】
【０００２】
従来、洗浄槽内に洗浄ノズルを回転自在に配設した食器洗い機が提案されている（たとえば、特許文献１参照）。
特許文献１に記載の食器洗い機では、洗浄ノズルは、その回転中心となる位置に洗浄ノズル内に洗浄用水を案内する軸部が設けられている。また、洗浄槽の底面には、洗浄ノズルの軸部を外包するように軸支する軸支部が設けられている。そして、洗浄ノズルの軸部が軸支部に挿入され、洗浄ノズルが軸支部に回転自在に支持されている。また、洗浄ノズルの軸部の近傍には爪部が設けられており、洗浄ノズルが軸支部から簡単に外れないようになっている。
【０００３】
上述の食器洗い機は、洗浄ポンプから軸部を介して洗浄ノズルに洗浄用水を供給し、洗浄ノズルから洗浄用水を噴射することにより、食器類を洗浄する。また、洗浄ノズルは、洗浄用水を噴射する際に生じる反力により、軸支部を中心に回転する。また、その反力は、上下方向に対しても洗浄ノズルのバランスを保つのに利用されている。
【先行技術文献】
【特許文献】
【０００４】
【特許文献１】特許第４１４４１１４号公報
【発明の概要】
【発明が解決しようとする課題】
【０００５】
特許文献１に記載されているような従来の食器洗い機は、洗浄ポンプから軸部を介して洗浄ノズルに洗浄用水を供給する際に、洗浄ノズルに対して上方向に強い水圧がかかるため、その水圧により洗浄ノズルの回転が妨げられて回転速度が低下する。また、洗浄ノズルの軸部と軸支部との間から洗浄槽に向かって洗浄用水の漏れが発生するため、洗浄ノズルの噴射圧力が低下する。それらの結果、従来の食器洗い機は、洗浄力が低下するという課題があった。
【０００６】
本発明は、以上のような課題を解決するためになされたもので、洗浄力の低下を抑制した食器洗い機を提供することを目的としている。
【課題を解決するための手段】
【０００７】
本発明に係る食器洗い機は、外郭となる筐体と、前記筐体の内部に収容される洗浄槽と、噴射口を有し、該噴射口から前記洗浄槽内に向けて水を噴射する洗浄ノズルと、前記洗浄ノズルを回転可能に支持し、前記洗浄ノズルに水を供給する軸部と、を備え、前記軸部は、前記洗浄槽の底面に設けられており、前記洗浄ノズルに供給する水が通過する開口部が側面に設けられているものである。
【発明の効果】
【０００８】
本発明に係る食器洗い機によれば、軸部の側面に設けられた開口部から洗浄用水を洗浄ノズルに供給するため、洗浄ノズルに対して上方向にかかる水圧を低減でき、洗浄ノズルの回転速度の低下を抑制することができる。そのため、洗浄力の低下を抑制することができる。
【図面の簡単な説明】
【０００９】
【図１】本発明の実施の形態に係る食器洗い機の概略構成を示す右側方から見た断面図である。
【図２】本発明の実施の形態に係る食器洗い機の正面図である。
【図３】本発明の実施の形態に係る食器洗い機の洗浄槽の底面に設けられた軸部に洗浄ノズルを取り付ける前の斜視図である。
【図４】図３に示す軸部を拡大した斜視図である。
【図５】図４に示す軸部のＡ−Ａ断面図である。
【図６】図４に示す軸部のＢ−Ｂ断面図である。
【図７】本発明の実施の形態に係る食器洗い機の洗浄槽の底面に設けられた軸部に洗浄ノズルを取り付けた後の斜視図である。
【図８】本発明の実施の形態に係る食器洗い機の洗浄槽内を前方から見た断面図である。
【発明を実施するための形態】
【００１０】
以下、本発明の実施の形態を図面に基づいて説明する。なお、以下に説明する実施の形態によって本発明が限定されるものではない。また、以下の図面では各構成部材の大きさの関係が実際のものとは異なる場合がある。また、以下の説明において、理解を容易にするために方向を表す用語（例えば「上」、「下」、「左」、「右」、「前」、「後」など）を適宜用いるが、これは説明のためのものであって、これらの用語は本願発明を限定するものではない。
【００１１】
実施の形態．
図１は、本発明の実施の形態に係る食器洗い機１の概略構成を示す右側方から見た断面図である。
以下、本発明の実施の形態に係る食器洗い機１の概略全体構成を説明する。
【００１２】
図１に示すように、本実施の形態に係る食器洗い機１は、前面が開口した前面開口部を有し、食器洗い機１の外郭となる筐体２と、上面が開口した上面開口部を有し、食器かご６に載置された食器類７０を収納する洗浄槽３と、洗浄槽３の上面に設けられており、洗浄槽３の上面開口部を開閉するふた体４と、洗浄槽３の前方に取り付けられており、筐体２内部に設けられた洗浄槽３が取り出される際に開閉するドア部５と、を備えている。
【００１３】
また、筐体２の内部には、給水弁１０が設けられている。給水弁１０は、水道水を洗浄槽３に供給するものであり、後述する洗浄工程においては水に洗剤を含んだ洗浄用水を、すすぎ工程においては水に洗剤を含まないすすぎ用水を、洗浄槽３に供給する。
【００１４】
洗浄槽３は、ほぼ箱体形状を有しており、底面の少なくとも一部に、鉛直下方向に突出した凹部３ａが設けられている。その凹部３ａの四側面のうちいずれかの側面あるいは底面には、洗浄槽３内に貯留される洗浄用水の水位を検知する水位検知装置１１と、洗浄用水の温度を検知する水温検知装置１７と、洗浄用水を加温する湯沸かしヒーター１２と、洗浄用水を加圧する加圧ポンプ１３と、がそれぞれ取り付けられている。
【００１５】
加圧ポンプ１３は、洗浄槽３の外部に設けられており、加圧ポンプ１３によって加圧された洗浄用水は、洗浄槽３の底面に設けられた軸部３０を通って、軸部３０に取り付けられた、上ノズル４１と下ノズル４２とで構成されている洗浄ノズル４０に送られる。そして、洗浄ノズル４０から洗浄用水が食器類７０に向けて噴射され、食器類７０が洗浄される。また、加圧ポンプ１３と同様に、洗浄槽３の外部には排水ポンプ１６が設けられている。排水ポンプ１６は、洗浄槽３の凹部３ａと排水配管１６ａで連通しており、洗浄槽３内に貯留されている洗浄用水を排水するものである。
【００１６】
また、洗浄槽３の後方には、空気を加熱して温風にするための乾燥用ヒーター２３と、その温風を洗浄槽３内に供給するための乾燥用送風機２２と、がそれぞれ取り付けられている。
【００１７】
ふた体４は、筐体２の内面上部に取り付けられている。ふた体４には、リンク機構（図示せず）の一端が取り付けられていて、リンク機構のもう一方の他端は筐体２の内面上部に取り付けられている。そして、このリンク機構により、洗浄槽３が引き出される際にふた体４が持ち上がり、洗浄槽３を開放することができるようになっている。
【００１８】
これにより、洗浄槽３が引き出される際に、洗浄槽３と一緒にふた体４が引き出されないようになっている。一方で、洗浄槽３が押し込まれたときには、このリンク機構によってふた体４が下がり、洗浄槽３を閉塞することができるようになっている。
【００１９】
洗浄槽３は、筐体２に設けられた固定レール２１と洗浄槽３に設けた可動レール（図示せず）とにより、正面側に引き出すことで前方に移動させることができるようになっている。また、筐体２には洗浄槽３が必要なとき以外は前方へ移動しないよう、洗浄槽３を筐体２内部に保持するための保持機構１８が設けられている。
【００２０】
洗浄槽３を筐体２の内部方向に所定の保持位置まで押し込むと、保持機構１８により所定の位置に保持される。このとき保持機構１８は、バネ（図示せず）によって洗浄槽３が引き出し方向とは反対の力で付勢されるようになり、洗浄槽３を保持することができる。
【００２１】
また、ドア部５の背面と洗浄槽３の前面との間の空間には、制御装置９が設けられている。制御装置９は、例えば、専用のハードウェア、または記憶部に格納されるプログラムを実行するＣＰＵ（Central Processing Unit、中央処理装置、処理装置、演算装置、マイクロプロセッサ、マイクロコンピュータ、プロセッサともいう）で構成され、食器洗い機１の動作を制御するものである。
【００２２】
図２は、本発明の実施の形態に係る食器洗い機１の正面図である。
図２に示すように、食器洗い機１の正面にはドア部５が設けられている。ドア部５は上部に操作パネル１５を有し、操作パネル１５の右側には操作部７が設けられている。操作部７は、使用者の操作指示入力を受け付け、これに対応した操作信号を制御装置９に出力するものである。操作部７には、食器洗い機１の電源を入れるための電源スイッチ８ａと、食器洗い機１の運転をスタートしたり一時停止したりする運転スイッチ８ｂとが設けられている。
【００２３】
また、操作パネル１５の左右方向のほぼ中央の位置には、正面側に洗浄槽３を引き出す際に手を掛けるための手掛け部１４が設けられている。また、操作パネル１５の左側には、洗浄槽３内の空気を食器洗い機１の外部へ排出するドア部排気口５ａが設けられている。
【００２４】
図３は、本発明の実施の形態に係る食器洗い機１の洗浄槽３の底面に設けられた軸部３０に洗浄ノズル４０を取り付ける前の斜視図であり、図４は、図３に示す軸部３０を拡大した斜視図であり、図５は、図４に示す軸部３０のＡ−Ａ断面図であり、図６は、図４に示す軸部３０のＢ−Ｂ断面図である。なお、図５は軸部３０の横断面であるＡ−Ａ断面を矢印方向から見た図であり、図６は軸部３０の縦断面であるＢ−Ｂ断面を矢印方向から見た図である。
【００２５】
図３に示すように、洗浄槽３の底面のほぼ中央の位置に軸部３０が設けられている。この軸部３０は、洗浄槽３と一体形成されている。また、図４に示すように、軸部３０は、ほぼ円筒形状を有している。軸部３０の側面の鉛直方向のほぼ中央の位置には、洗浄ノズル４０を取り付けた際にその底面が載置される載置部３４が外周に沿って設けられている。また、軸部３０の側面かつ載置部３４よりも上側には、上面３１から鉛直下方向に延びた複数の柱部３２が設けられており、隣接する柱部３２間には、開口した開口部３２ａが設けられている。
【００２６】
また、軸部３０の上面３１のほぼ中心の位置には、鉛直方向に貫通した孔部３１ａが設けられており、上面３１の側部には、上方に向かって突出した平面視して半円形状の突起部３３が２つ設けられており、それらは対称となる位置に設けられている。
【００２７】
図５および図６に示すように、柱部３２は軸部３０の側面に４つ設けられている。詳しくは、柱部３２は、軸部３０を平面視した際の中心位置から９０度毎の位置に設けられており、隣接する柱部３２は互いに一定間隔となっている。また、開口部３２ａも軸部３０の側面の隣接する柱部３２間に４つ設けられている。また、柱部３２は、平面視して軸部３０の中心側が角丸な矩形状を有しており、開口部３２ａは軸部３０の中心側から外側に向かって広がった形状を有している。なお、本実施の形態では、柱部３２および開口部３２ａはそれぞれ４つ設けられているが、それに限定されない。
【００２８】
また、柱部３２の内部には流路３５が形成されており、流路３５は、孔部３１ａおよび開口部３２ａとそれぞれ連通している。そして、加圧ポンプ１３から柱部３２に送られた洗浄用水は、流路３５を通って孔部３１ａおよび開口部３２ａから洗浄ノズル４０に供給されるようになっている。
【００２９】
本実施の形態に係る食器洗い機１は、上述のとおり、軸部３０の側面には、軸部３０を平面視した際の中心位置から９０度毎の位置に４つの柱部３２が設けられており、軸部３０の側面の隣接する柱部３２間に開口部３２ａがそれぞれ設けられている。つまり、開口部３２ａが４つ設けられている。そして、洗浄ノズル４０が取り付けられていない状態で、軸部３０の開口部３２ａから洗浄用水が４方向に均等に噴射されるようになっている。そのため、洗浄ノズル４０が軸部３０に取り付けられていない状態でも、軸部３０から噴射された洗浄用水により、食器かご６に載置された食器類７０を洗浄することができる。
【００３０】
また、柱部３２は、平面視して軸部３０の中心側が角丸な矩形状を有しており、開口部３２ａは軸部３０の中心側から側面に向かって広がった形状を有している。そして、洗浄ノズル４０が取り付けられていない状態で、軸部３０の開口部３２ａから洗浄用水が広がるように噴射され、洗浄槽３内の広範囲に噴射されるようになっている。そのため、洗浄ノズル４０が軸部３０に取り付けられていない状態でも、洗浄槽３内を満遍なくすすぐことができる。
【００３１】
図７は、本発明の実施の形態に係る食器洗い機１の洗浄槽３の底面に設けられた軸部３０に洗浄ノズル４０を取り付けた後の斜視図であり、図８は、本発明の実施の形態に係る食器洗い機１の洗浄槽３内を前方から見た断面図である。
図７および図８に示すように、洗浄ノズル４０は洗浄槽３内に配置されており、軸部３０を上から覆うように着脱可能に取り付けられ、軸部３０に回転可能に支持される。洗浄ノズル４０は、軸部３０と重なる位置、つまり回転中心となる位置から上方に向かって突出した上ノズル４１と、回転中心となる位置から水平方向に延びた下ノズル４２と、で構成されている。上ノズル４１の上部には、噴射口４１ａが設けられており、下ノズル４２の上面には、間隔を空けて複数の噴射口４２ａが設けられている。
【００３２】
図８に示すように、洗浄ノズル４０の下部である上ノズル４１の下方に取付穴部４３が設けられている。また、取付穴部４３の周りには、立壁部４４が設けられている。そして、洗浄ノズル４０が軸部３０に取り付けられる際には、取付穴部４３に軸部３０が挿入され、洗浄ノズル４０の底面４５が載置部３４に載置される。このとき、立壁部４４により取付穴部４３と軸部３０との間の隙間が埋められる、つまり洗浄ノズル４０と軸部３０との間に隙間が生じないようになっているため、洗浄ノズル４０と軸部３０との間から水漏れが発生するのを抑制ことができる。
【００３３】
また、食器かご６は、下段部６ａと、その上方に設けられた上段部６ｂとの２段構成となっており、食器類７０を下段部６ａと上段部６ｂとにそれぞれ載置することができるようになっている。そのため、食器かご６は、１段構成の場合に比べ、より多くの食器類７０を載置することができる。
【００３４】
次に、本実施の形態に係る食器洗い機１により食器類７０を洗浄および乾燥する場合の動作について説明する。
まず、使用者により手掛け部１４に手を掛けて正面側に洗浄槽３が引き出され、ドア部５が開けられる。そして、洗浄槽３の上面開口部から、洗浄槽３内に収容された食器かご６に洗浄、乾燥したい食器類７０を載置され、洗浄槽３内に適量の洗剤が入れられ、洗浄槽３が筐体２内に押し込まれてドア部５を閉じられる。これにより、洗浄槽３は、保持機構１８によりドア部５が閉じられた位置で保持される。
【００３５】
次に、使用者により操作部７に設けられた運転スイッチ８ｂが押されたら、食器洗い機１は動作を開始する。なお、食器洗い機１の動作については制御装置９が制御し、その命令により各機能部品を動作させ、洗浄工程、すすぎ工程、加熱すすぎ工程、乾燥工程の順に進行させていくものである。
【００３６】
制御装置９は、運転スイッチ８ｂが押されたら、まず洗浄工程を開始する。洗浄工程を開始したら、まず給水弁１０を開き、洗浄槽３内へ洗浄用の水道水の給水を行う。このとき、洗浄槽３内の水位は、水位検知装置１１にて検知されている。そして、制御装置９は、水位検知装置１１により洗浄槽３内の水位が所定の水位に達したことを検知したら、給水弁１０を閉じる。
【００３７】
次に、制御装置９は、湯沸かしヒーター１２に通電し、貯留された水道水に洗剤を含んだ洗浄用水を加熱するとともに、加圧ポンプ１３に通電し、その洗浄用水に圧力を与え、軸部３０を介して洗浄用水を洗浄ノズル４０に供給する。このとき、洗浄用水は、軸部３０の孔部３１ａから上方に吹き出して上ノズル４１に供給され、また、軸部３０の開口部３２ａから水平方向に吹き出して下ノズル４２に供給される。そして、上ノズル４１の噴射口４１ａおよび下ノズル４２の噴射口４２ａから洗浄用水が食器類７０に噴射される。
【００３８】
このとき、洗浄ノズル４０は、洗浄用水の噴射量に応じた反力によって、軸部３０を中心に所定の方向に回転し、回転しながら食器類７０に万遍なく噴射し、食器類７０を洗浄していく。すなわち、この食器洗い機１は、洗浄ノズル４０を回転させるためのモータなどの駆動手段を別途設けることなく、洗浄ノズル４０から噴射させる洗浄用水によって洗浄ノズル４０を回転させるようになっている。
【００３９】
ここで、柱部３２の開口部３２ａは軸部３０の中心側から側面に向かって広がった形状を有しているため、その広がりによって、洗浄ノズル４０を取り付けて噴射させた際の水の反力が変わる。そのため、開口部３２ａの広がりを調整することで、洗浄ノズル４０の回転速度を、洗浄用水が洗浄ノズル４０に流れ込む前段階で調整することができる。
【００４０】
また、上ノズル４１の噴射口４１ａからは、食器かご６の上段部６ｂに載置された食器類７０に洗浄用水を掛けることができ、下ノズル４２の噴射口４２ａからは食器かご６の下段部６ａに載置された食器類７０に洗浄用水を掛けることができる。そのため、食器かご６の上段部６ｂに載置された食器類７０および下段部６ａに載置された食器類７０の両方を同時に洗浄することができる。
【００４１】
また、洗浄ノズル４０は回転時に、軸部３０と直交する方向の振動である軸ぶれが発生する場合があるが、軸部３０に設けられている２つの半円形状の突起部３３が、軸部３０と直交する方向の振動を規制する。そのため、突起部３３により、洗浄ノズル４０の回転時の軸ぶれを抑制することができる。また、２つの突起部３３は、軸部３０の上面３１の側部の対称となる位置に設けられており、洗浄ノズル４０の内周の全周にわたって接触しないようになっている。そのため、洗浄ノズル４０の回転時の抵抗を抑制することができ、回転速度の低下を抑制することができる。
【００４２】
また、洗浄用水は、軸部３０の孔部３１ａから上方に吹き出して上ノズル４１に供給されるが、上ノズル４１は上方に向かって突出した形状を有しているため、上方向に長さを有している。そのため、軸部３０の孔部３１ａから上ノズル４１に洗浄用水が供給される際に、洗浄ノズル４０に対して上方向に水圧がかかるが、その水圧を低減することができ、洗浄ノズル４０の回転速度の低下を抑制することができる。
【００４３】
なお、本実施の形態では、上ノズル４１を備えた洗浄ノズル４０を用いているが、上ノズル４１を備えていない洗浄ノズルも用いることができるが、その場合は軸部３０の上面３１に設けられた孔部３１ａが不要となるため、孔部３１ａをなくす。そうすることで、軸部から洗浄ノズルに洗浄用水が供給される際に、洗浄ノズルに対して上方向に水圧がかからないため、洗浄ノズルの回転速度の低下を抑制することができる。
【００４４】
ここで、洗浄工程における洗浄は、貯留された洗浄用水を循環しながら行うものであり、洗浄槽３の底面へ落下した洗浄用水を集め、再び加圧ポンプ１３にて圧力を与え、洗浄ノズル４０を利用して食器類７０に洗浄用水を噴射することを繰り返すものである。なお、洗浄槽３の上面開口部はふた体４により閉塞されているので、洗浄用水が洗浄槽３の外部に飛散することはない。
【００４５】
また、洗浄は湯沸かしヒーター１２により洗浄用水を加熱しながら行うものであり、その洗浄用水の温度は、洗剤に含まれる酵素の能力を最大限に発揮できる温度にするのが通常であり、概ね６０℃程度に設定される。洗浄用水の温度は、水温検知装置１７にて検知されている。そして、制御装置９は、水温検知装置１７により洗浄用水の温度が所定の温度に達したことを検知したら、湯沸かしヒーター１２の通電を停止する。
【００４６】
洗浄工程が開始され、所定の時間が経過したら、制御装置９は、湯沸かしヒーター１２および加圧ポンプ１３の通電を停止するとともに、排水ポンプ１６に通電し、洗浄槽３内に貯留された洗浄用水を外部に排水する。そして、排水が完了したら、制御装置９は、排水ポンプ１６への通電を停止し、これにより、洗浄工程が終了する。
【００４７】
洗浄工程が終了したら、制御装置９は、続いてすすぎ工程を開始するが、基本的な動作は洗浄工程とほぼ同様で、まず、給水弁１０を開き、洗浄槽３内へすすぎ用の水道水の給水を行う。そして、制御装置９は、水位検知装置１１により洗浄槽３内の水位が所定の水位に達したことを検知したら、給水弁１０を閉じる。
【００４８】
次に、制御装置９は、加圧ポンプ１３に通電し、貯留されたすすぎ用水に圧力を与え、軸部３０を介してすすぎ用水を洗浄ノズル４０に供給する。そして、上ノズル４１の噴射口４１ａおよび下ノズル４２の噴射口４２ａからすすぎ用水が食器類７０に噴射される。この噴射されたすすぎ用水は、食器類７０に掛けられ、食器類７０に残った洗浄用水および微細な汚れをすすぐ。
【００４９】
そして、すすぎ工程が開始され、所定の時間が経過したら、制御装置９は、加圧ポンプ１３の通電を停止するとともに、排水ポンプ１６に通電し、洗浄槽３内に貯留されたすすぎ用水を外部に排水する。すすぎ工程では、この一連の動作が数回繰り返して行われる。なお、このすすぎ工程では、湯沸かしヒーター１２によるすすぎ用水の加温はされない。
【００５０】
すすぎ工程が終了したら、制御装置９は、続いて加熱すすぎ工程を開始するが、基本的な動作は洗浄工程あるいはすすぎ工程と同様であり、上述したすすぎ工程に、湯沸かしヒーター１２によるすすぎ用水が加温されている点だけが異なる。
【００５１】
なお、そのすすぎ用水の温度は、洗浄の最後を仕上げるために、そして、食器類７０の温度を上げて乾燥性能を高めるために、洗浄用水の温度よりも高い温度にするのが通常であり、概ね７０℃以上（Ｏ−１５７対策では７５℃以上）に設定される。
【００５２】
加熱すすぎ工程が終了したら、制御装置９は、最後の工程である乾燥工程を開始する。乾燥工程を開始したら、まず乾燥用送風機２２に通電し、洗浄槽３内に空気を導入するとともに、乾燥用ヒーター２３に通電し、空気を加熱して温風する。その温風は洗浄槽３内に供給され、食器類７０および洗浄槽３内を乾燥させる。そして、これらを乾燥させた温風は、洗浄槽３の排気口（図示せず）から排気ダクト（図示せず）を経由して、ドア部排気口５ａから食器洗い機１の外部へ排出される。
【００５３】
そして、乾燥工程が開始され、所定の時間が経過したら、制御装置９は、乾燥用送風機２２および乾燥用ヒーター２３の通電を停止し、これにより、乾燥工程が終了する。
乾燥工程が終了したら、全ての工程が完了となる。
【００５４】
全ての工程が完了したら、使用者により食器類７０を取り出す作業が行われる。食器かご６に食器類７０が載置されたときと同様に、手掛け部１４に手を掛けて正面側に洗浄槽３が引き出され、ドア部５が開けられる。そして、洗浄槽３の上面開口部から、洗浄槽３内に収容された食器かご６に載置された食器類７０が取り出され、洗浄槽３が筐体２内に押し込まれてドア部５が閉じられる。
【００５５】
以上、本実施の形態に係る食器洗い機１に係る食器洗い機１によれば、軸部３０の側面に設けられた開口部３２ａから水を洗浄ノズル４０に供給するため、洗浄ノズル４０に対して上方向にかかる水圧を低減でき、洗浄ノズル４０の回転速度の低下を抑制することができる。また、洗浄ノズル４０と軸部３０との間から洗浄用水の漏れも発生しない。そのため、洗浄力の低下を抑制することができる。
【００５６】
また、軸部３０の側面には、４つの柱部３２を有し、隣接する柱部３２間に開口部３２ａがそれぞれ設けられているため、洗浄ノズル４０が取り付けられていない状態で、軸部３０の開口部３２ａから洗浄用水が４方向に均等に噴射されるようになっている。そのため、洗浄ノズル４０が軸部３０に取り付けられていない状態でも、軸部３０から噴射された洗浄用水により、食器かご６に載置された食器類７０を洗浄することができる。
【００５７】
また、開口部３２ａは軸部３０の中心側から側面に向かって広がった形状を有しており、洗浄ノズル４０が取り付けられていない状態で、軸部３０の開口部３２ａから洗浄用水が広がるように噴射され、洗浄槽３内の広範囲に噴射されるようになっている。そのため、洗浄ノズル４０が軸部３０に取り付けられていない状態でも、洗浄槽３内を満遍なくすすぐことができる。
【００５８】
また、軸部３０に設けられている２つの半円形状の突起部３３により、洗浄ノズル４０の回転時の軸ぶれを抑制することができる。また、２つの突起部３３は、軸部３０の上面３１の側部の対称となる位置に設けられており、洗浄ノズル４０の内周の全周にわたって接触しないようになっている。そのため、洗浄ノズル４０の回転時の抵抗を抑制することができ、回転速度の低下を抑制することができる。
【００５９】
また、洗浄ノズル４０の下部に取付穴部４３が設けられており、取付穴部４３の周りには、立壁部４４が設けられており、取付穴部４３に軸部３０が挿入された際に、立壁部４４により取付穴部４３と軸部３０との間の隙間が埋められ、洗浄ノズル４０と軸部３０との間に隙間が生じないようになっている。そのため、洗浄ノズル４０と軸部３０との間から水漏れが発生するのを抑制することができる。
【符号の説明】
【００６０】
１  食器洗い機、２  筐体、３  洗浄槽、３ａ  凹部、４  ふた体、５  ドア部、５ａ  ドア部排気口、６  食器かご、６ａ  （食器かごの）下段部、６ｂ  （食器かごの）上段部、７  操作部、８ａ  電源スイッチ、８ｂ  運転スイッチ、９  制御装置、１０  給水弁、１１  水位検知装置、１２  湯沸かしヒーター、１３  加圧ポンプ、１４  手掛け部、１５  操作パネル、１６  排水ポンプ、１６ａ  排水配管、１７  水温検知装置、１８  保持機構、２１  固定レール、２２  乾燥用送風機、２３  乾燥用ヒーター、３０  軸部、３１  上面、３１ａ  孔部、３２  柱部、３２ａ  開口部、３３  突起部、３４  載置部、３５  流路、４０  洗浄ノズル、４１  上ノズル、４１ａ  噴射口、４２  下ノズル、４２ａ  噴射口、４３  取付穴部、４４  立壁部、４５  底面、７０  食器類。
【図１】
2018027236.tif 000003
【図２】
2018027236.tif 000004
【図３】
2018027236.tif 000005
【図４】
2018027236.tif 000006
【図５】
2018027236.tif 000007
【図６】
2018027236.tif 000008
【図７】
2018027236.tif 000009
【図８】
2018027236.tif 000010